(57)【要約】  空気清浄装置は、イオン発生器（２１）と、ダクト（３）と、支持部材（２１０）とを備える。イオン発生器（２１は、プラスイオンとマイナスイオンとを発生する。ダクト（３）は、プラスイオン及びマイナスイオンを含む空気を空気清浄装置の外部に送出する。支持部材（２１０）は、ダクト（３）の壁面に固定される。支持部材（２１０）は、イオン発生器（２１）がダクト（３）の中央部に向けて突出するようにイオン発生器（２１）を支持する。支持部材（２１０）の第１方向の幅は、支持部材（２１０）が配置されるダクト（３）の壁面の第１方向の幅及び幅よりも狭い。第１方向は、空気の送出方向と略直交し、且つダクト（３）の壁面と平行な方向を示す。
2020032030.tif 000002
【特許請求の範囲】
【請求項１】
放電因子を発生する放電器と、
前記放電因子を含む空気をイオン発生装置の外部に送出する送風路と、
前記送風路の壁面に固定される支持部材と
を備え、
前記支持部材は、前記放電器が前記送風路の中央部に向けて突出するように前記放電器を支持し、
前記支持部材の第１方向の幅は、前記支持部材が固定される前記送風路の壁面の前記第１方向の幅よりも狭く、
前記第１方向は、前記空気の送出方向と略直交し、且つ前記送風路の壁面と平行な方向を示し、
前記放電因子は、プラスイオン及びマイナスイオンの少なくとも一方を含む、イオン発生装置。
【請求項２】
前記支持部材の前記第１方向の幅は、前記放電器の前記第１方向の幅と略同一に形成される、請求項１に記載のイオン発生装置。
【請求項３】
前記支持部材に対して前記空気の送出方向の上流側において、前記送風路の壁面に配置された第１傾斜部材を更に備え、
前記第１傾斜部材において前記送風路内に突出する側の面は、第１面から第２面に向けて傾斜し、
前記第１面は、前記支持部材に対して前記空気の送出方向の上流側の前記送風路の壁面を示し、
前記第２面は、前記支持部材において前記送風路内に突出する側の面を示す、請求項１又は請求項２に記載のイオン発生装置。
【請求項４】
前記第１傾斜部材は、平板状に形成され、
前記第１傾斜部材の一方端は、前記送風路の壁面に固定され、
前記第１傾斜部材の他方端は、前記支持部材に固定される、請求項３に記載のイオン発生装置。
【請求項５】
前記支持部材に対して前記空気の送出方向の下流側において、前記送風路の壁面に配置された第２傾斜部材を更に備え、
前記第２傾斜部材において前記送風路内に突出する側の面は、第３面から第４面に向けて傾斜し、
前記第３面は、前記支持部材において前記送風路内に突出する側の面を示し、
前記第４面は、前記支持部材に対して前記空気の送出方向の下流側の前記送風路の壁面を示す、請求項１から請求項４のいずれか１項に記載のイオン発生装置。
【請求項６】
前記第２傾斜部材は、平板状に形成され、
前記第２傾斜部材の一方端は、前記支持部材に固定され、
前記第２傾斜部材の他方端は、前記送風路の壁面に固定される、請求項５に記載のイオン発生装置。
【請求項７】
前記支持部材に対して前記空気の送出方向の上流側に配置された板状部材を更に備え、
前記板状部材は、前記送風路の壁面に立設され、
前記板状部材は、前記空気の送出方向と平行に配置される、請求項１から請求項６のいずれか１項に記載のイオン発生装置。
【発明の詳細な説明】
【技術分野】
【０００１】
本発明は、イオン発生装置に関する。
【背景技術】
【０００２】
室内の空気にイオンを供給するイオン発生装置が普及している。また、イオン発生装置において、室内の空気にイオンを効率的に供給する種々の技術が開示されている。【０００３】
例えば、特許文献１に記載されたイオン発生装置は、本体ケースと、送風路と、イオン発生器とを備える。送風路は、本体ケース内に形成される。送風路は、吹出口を有する。イオン発生器は、送風路の最も狭い位置に配置される。イオン発生器は、イオンを発生する。イオンは、吹出口からイオン発生装置の外部に排出される。
【先行技術文献】
【特許文献】
【０００４】
【特許文献１】特開２０１０−２８７３２１号公報
【発明の概要】
【発明が解決しようとする課題】
【０００５】
特許文献１に記載されたイオン発生装置では、イオン発生器は、送風路の最も狭い位置に配置されるため、空気に含まれるイオン量を増加できる。すなわち、最も狭い位置では、空気の流れの速さが速いため、発生したイオンが短時間で吹出口に送出される。そのため、吹出口に送出されるまでに、プラスイオンとマイナスイオンとが中和されない。したがって、高いイオン濃度を維持したままイオンをイオン発生装置の外部に送出できる。しかしながら、上記イオン発生装置は、空気に含まれるイオン量を増加する点において改善の余地がある。【０００６】
本発明は、上記課題に鑑みてなされたものであり、空気に含まれるイオン量を増加可能なイオン発生装置を提供することを目的としている。
【課題を解決するための手段】
【０００７】
本発明に係るイオン発生装置は、放電器と、送風路と、支持部材とを備える。前記放電器は、放電因子を発生する。前記放電因子は、プラスイオン及びマイナスイオンの少なくとも一方を含む。前記送風路は、前記放電因子を含む空気をイオン発生装置の外部に送出する。前記支持部材は、前記送風路の壁面に固定される。前記支持部材は、前記放電器が前記送風路の中央部に向けて突出するように前記放電器を支持する。前記支持部材の第１方向の幅は、前記支持部材が配置される前記送風路の壁面の前記第１方向の幅よりも狭い。前記第１方向は、前記空気の送出方向と略直交し、且つ前記送風路の壁面と平行な方向を示す。
【発明の効果】
【０００８】
本発明に係るイオン発生装置によれば、空気に含まれるイオン量を増加できる。
【図面の簡単な説明】
【０００９】
【図１】本発明の実施形態に係る空気清浄装置の構成の一例を示す側面図である。
【図２】本発明の実施形態に係る第１ユニットの構成の一例を示す正面図である。
【図３】本発明の実施形態に係る第１ユニットの構成の一例を示す拡大正面図である。
【図４】本発明の実施形態に係る第１ユニットの構成の一例を示すＩＶ−ＩＶ断面図である。
【図５】本発明の実施形態に係るイオン発生部の構成の一例を示す正面図である。
【図６】本発明の実施形態に係るイオン発生部の構成の一例を示すＶＩ−ＶＩ断面図である。
【発明を実施するための形態】
【００１０】
以下、本発明の実施形態について、図面（図１〜図６）を参照しながら説明する。なお、図中、同一又は相当部分については同一の参照符号を付して説明を繰り返さない。
【００１１】
まず、図１を参照して、本発明の実施形態に係る空気清浄装置１００の構成について説明する。図１は、空気清浄装置１００の構成の一例を示す側面図である。図１に示すように、空気清浄装置１００は、第１ユニット１００Ａと、第２ユニット１００Ｂと脚部１１２とを備える。空気清浄装置１００は、「イオン発生装置」の一例に相当する。
【００１２】
また、本発明の実施形態では、図中に、互いに直交するＸ軸、Ｙ軸及びＺ軸を示す。Ｚ軸は鉛直方向に平行であり、Ｘ軸及びＹ軸は水平方向に平行である。Ｘ軸の負方向は、空気清浄装置１００の前面側を示す。
【００１３】
第１ユニット１００Ａは、空気清浄装置１００のＸ軸の正方向側に配置される。すなわち、第１ユニット１００Ａは、空気清浄装置１００の背面側に配置される。第２ユニット１００Ｂは、空気清浄装置１００のＸ軸の負方向側に配置される。すなわち、第２ユニット１００Ｂは、空気清浄装置１００の前面側に配置される。脚部１１２は、第１ユニット１００Ａ及び第２ユニット１００Ｂの下方に配置される。脚部１１２は、第１ユニット１００Ａと第２ユニット１００Ｂとを支持する。
【００１４】
第１ユニット１００Ａは、背面パネル１１０と、モータ１３２と、ファン１３０と、流路形成部材１２３と、ダクト３と、イオン発生部２と、排出口２９とを有する。
【００１５】
背面パネル１１０は、第１ユニット１００Ａの背面側に配置される。すなわち、背面パネル１１０は、第１ユニット１００ＡのＸ軸の正方向側に配置される。背面パネル１１０は、モータ１３２及びファン１３０を支持する。
【００１６】
モータ１３２は、ファン１３０を回転駆動する。モータ１３２は、ファン１３０と背面パネル１１０との間に配置される。
【００１７】
ファン１３０は、空気の流れを発生する。具体的には、ファン１３０は、方向Ｄで示すように、第２ユニット１００Ｂ内の空気を吸い込み、流路形成部材１２３及びダクト３を順次経由して、排出口２９から空気清浄装置１００の外部に空気を排出する。方向Ｄは、空気の流れの方向を示す。
【００１８】
流路形成部材１２３は、ファン１３０によって吐き出された空気がダクト３に向かうように誘導する。
【００１９】
ダクト３は、ファン１３０によって吐き出された空気を排出口２９に向けて流動させる。つまり、ダクト３は、ファン１３０によって吐き出された空気を空気清浄装置１００の外部に送出する。ダクト３は、「送風路」の一例に相当する。流路形成部材１２３及びダクト３については、後述にて図２を参照して詳細に説明する。
【００２０】
イオン発生部２は、イオン発生器２１とリブ２２とを有する。イオン発生器２１は、イオンを発生する。イオン発生器２１については、後述にて図５及び図６を参照して詳細に説明する。
【００２１】
リブ２２は、背面パネル１１０に立設され、ダクト３内に向けて突出するように形成される。リブ２２は、「板状部材」の一例に相当する。リブ２２については、後述にて図２及び図３を参照して詳細に説明する。
【００２２】
排出口２９は、空気清浄装置１００の上部に形成され、イオンを含む空気を空気清浄装置１００の外部に排出する。
【００２３】
第２ユニット１００Ｂは、前面パネル１４０と、フィルタ１５１と、枠１５０と、仕切り壁１２０とを有する。前面パネル１４０は、第２ユニット１００Ｂの前面を覆う。
【００２４】
フィルタ１５１は、脱臭フィルタ１５２、ホルムアルデヒド吸着フィルタ１５３及び集塵フィルタ１５４を有する。脱臭フィルタ１５２、ホルムアルデヒド吸着フィルタ１５３及び集塵フィルタ１５４の各々は平板状に形成される。枠１５０は、フィルタ１５１を第２ユニット１００Ｂ内に固定する。具体的には、フィルタ１５１の主面が、Ｙ−Ｚ平面と平行になるように固定する。
【００２５】
脱臭フィルタ１５２、ホルムアルデヒド吸着フィルタ１５３及び集塵フィルタ１５４は、前面側から順にＸ軸方向に積層して配置される。脱臭フィルタ１５２は、空気を脱臭する。ホルムアルデヒド吸着フィルタ１５３は、空気中のホルムアルデヒドを吸着する。集塵フィルタ１５４は、空気中の塵埃を吸着する。
【００２６】
仕切り壁１２０は、第２ユニット１００Ｂの背面側に配置される。仕切り壁１２０は、連通孔１２１を有する。連通孔１２１は、第２ユニット１００Ｂ内の空気を、第１ユニット１００Ａ内に送出する。具体的には、連通孔１２１は、方向Ｄに示すように、前面パネル１４０及びフィルタ１５１を順次介して、空気清浄装置１００の外部から第２ユニット１００Ｂ内に流入した空気を、第１ユニット１００Ａ内に送出する。
【００２７】
次に、空気の流れについて説明する。ファン１３０は、方向Ｄで示すように、空気清浄装置１００の外部から空気を吸い込む。外部から吸い込まれた空気は、方向Ｄで示すように、前面パネル１４０、フィルタ１５１及び連通孔１２１を順次経由してファン１３０に流入する。また、ファン１３０によって吐出された空気は、方向Ｄで示すように、ダクト３を経由して排出口２９から空気清浄装置１００の外部に排出される。
【００２８】
続いて、図１〜図３を参照して、本発明の実施形態に係る空気清浄装置１００の構成について説明する。図２は、第１ユニット１００Ａの構成の一例を示す正面図である。図２は、空気清浄装置１００の正面を示す。図３は、第１ユニット１００Ａの構成の一例を示す拡大正面図である。
【００２９】
図２及び図３に示すように、流路形成部材１２３は、円弧状に形成される。具体的には、流路形成部材１２３の中心は、モータ１３２の中心軸に対して、Ｙ軸の正方向、且つＺ軸の負方向に偏心している。すなわち、流路形成部材１２３は、ファン１３０から吐出される空気の流路の幅Ｗが、方向Ｄの下流に向けて広がるように形成される。幅Ｗは、ファン１３０の外周と流路形成部材１２３との間の距離を示す。
【００３０】
また、第１ユニット１００Ａは、第１壁部材２５と、第２壁部材２６とを更に備える。また、図３に示すように、イオン発生部２は、支持部材２１０と、第１傾斜部材２３と、第２傾斜部材２４とを更に備える。
【００３１】
支持部材２１０は、ダクト３の壁面に固定される。支持部材２１０は、イオン発生器２１がダクト３の中央部に向けて突出するようにイオン発生器２１を支持する。具体的には、支持部材２１０は、イオン発生器２１がダクト３のＸ軸方向の中央部に向けて突出するようにイオン発生器２１を支持する。
【００３２】
支持部材２１０の第１方向ＤＲ１の幅Ｗ１は、支持部材２１０が固定されるダクト３の壁面の第１方向ＤＲ１の幅Ｗ２及び幅Ｗ３よりも狭い。第１方向ＤＲ１は、方向Ｄと略直交し、且つダクト３の壁面（背面パネル１１０の一部）と平行な方向を示す。具体的には、第１方向ＤＲ１は、Ｙ軸方向を示す。幅Ｗ１は、支持部材２１０の第１方向ＤＲ１の幅を示す。幅Ｗ２は、支持部材２１０の方向Ｄの上流端におけるダクト３の壁面の第１方向ＤＲ１の幅を示す。幅Ｗ３は、支持部材２１０の方向Ｄの下流端におけるダクト３の壁面の第１方向ＤＲ１の幅を示す。
【００３３】
支持部材２１０の第１方向ＤＲ１の幅Ｗ１は、イオン発生器２１の第１方向ＤＲ１の幅Ｗ４と略同一に形成される。幅Ｗ４は、イオン発生器２１の第１方向ＤＲ１の幅を示す。
【００３４】
第１傾斜部材２３は、支持部材２１０に対して、方向Ｄの上流側において、ダクト３の壁面（背面パネル１１０の一部）に配置される。第２傾斜部材２４は、支持部材２１０に対して、方向Ｄの下流側において、ダクト３の壁面（背面パネル１１０の一部）に配置される。第１傾斜部材２３及び第２傾斜部材２４については、後述にて図５及び図６を参照して詳細に説明する。
【００３５】
第１壁部材２５の下端は、流路形成部材１２３の上端に連接される。第２壁部材２６の下端は、流路形成部材１２３の上端に連接される。第１壁部材２５と、第２壁部材２６とは、互いに対向して配置され、ダクト３の一部を形成する。
【００３６】
具体的には、ダクト３は、第１壁部材２５と、第２壁部材２６と、図１に示す仕切り壁１２０の一部と、背面パネル１１０の一部とで形成される。すなわち、第１壁部材２５は、ダクト３におけるＹ軸の正方向側の壁を構成し、第２壁部材２６はダクト３におけるＹ軸の負方向側の壁を構成する。また、図１に示すように、背面パネル１１０の一部は、ダクト３におけるＸ軸の正方向側の壁を構成し、仕切り壁１２０の一部は、ダクト３におけるＸ軸の負方向側の壁を構成する。
【００３７】
また、リブ２２は、イオン発生器２１に対して方向Ｄの上流側に配置される。リブ２２は、Ｘ−Ｚ平面と平行に配置される。リブ２２に到達した空気は、方向Ｄ１と方向Ｄ２とに分かれて、排出口２９から流出する。方向Ｄ１は、第１の空気流の向きを示し、方向Ｄ２は、第２の空気流の向きを示す。
【００３８】
第１の空気流は、方向Ｄ１に示すように、リブ２２に対してＹ軸の負方向側を流れる。換言すれば、第１の空気流は、リブ２２と第２壁部材２６との間の空間を流れる。第２の空気流は、リブ２２に対してＹ軸の正方向側を流れる。換言すれば、第２の空気流は、リブ２２と第１壁部材２５との間の空間を流れる。第１の空気流は、例えばプラスイオンを含み、第２の空気流は、例えばマイナスイオンを含む。
【００３９】
以上、図１〜図３を参照して説明したように、本発明の実施形態では、支持部材２１０が、イオン発生器２１がダクト３の中央部に向けて突出するようにイオン発生器２１を支持する。よって、風速の速いダクト３の中央部にイオン発生器２１が配置されるため、空気に含まれるイオン量を増加できる。また、支持部材２１０の第１方向ＤＲ１の幅Ｗ１は、支持部材２１０が配置されるダクト３の壁面（背面パネル１１０の一部）の第１方向ＤＲ１の幅Ｗ２及び幅Ｗ３よりも狭い。よって、支持部材２１０が、ダクト３における空気の流れを妨げることを抑制できる。したがって、空気に含まれるイオン量を更に増加できる。
【００４０】
また、支持部材２１０の第１方向ＤＲ１の幅Ｗ１は、イオン発生器２１の第１方向ＤＲ１の幅Ｗ４と略同一に形成される。よって、支持部材２１０が、ダクト３における空気の流れを妨げることを更に抑制できる。したがって、空気に含まれるイオン量を更に増加できる。
【００４１】
リブ２２は、イオン発生器２１に対して、方向Ｄの上流側に配置される。また、リブ２２は、方向Ｄと平行に配置される。よって、プラスイオンとマイナスイオンとが衝突して中和されることを抑制できる。したがって、排出口２９から排出される空気に含まれるイオン量を更に増加できる。
【００４２】
なお、本発明の実施形態では、リブ２２は、イオン発生器２１に対して方向Ｄの上流側に配置されるが、本発明はこれに限定されない。例えば、リブ２２がイオン発生器２１に対して方向Ｄの下流側に配置されてもよい。
【００４３】
続いて、図１〜図４を参照して、本発明の実施形態に係る空気清浄装置１００の構成について更に説明する。図４は、第１ユニット１００Ａの構成の一例を示すＩＶ−ＩＶ断面図である。ＩＶ−ＩＶ断面は、図３に示すように、リブ２２の厚み方向（Ｙ軸方向）の中心を通り、Ｘ−Ｚ平面と平行な面である。
【００４４】
図４に示すように、リブ２２は、背面パネル１１０と一体に形成される。また、リブ２２は、矩形状に形成される。リブ２２は、方向Ｄに沿って延びる。リブ２２の高さＨ１は、イオン発生器２１の電極の高さＨ２よりも高い。高さＨ１及び高さＨ２は、背面パネル１１０から離間する方向の高さを示す。高さＨ１は、リブ２２の背面パネル１１０から離間する方向の高さを示す。高さＨ２は、電極の背面パネル１１０から離間する方向の高さを示す。高さＨ２については、後述にて図６を参照して詳細に説明する。
【００４５】
以上、図１〜図４を参照して説明したように、本発明の実施形態では、リブ２２の高さＨ１は、イオン発生器２１の電極の高さＨ２よりも高い。よって、リブ２２によって、ファン１３０からイオン発生器２１に向かう空気流を、第１の空気流と第２の空気流とに分けることができる。したがって、排出口２９から排出される空気に含まれるイオン量を更に増加できる。
【００４６】
また、リブ２２は、方向Ｄに沿って延びる。よって、リブ２２が、ダクト３における空気の流れを妨げることを更に抑制できる。したがって、空気に含まれるイオン量を更に増加できる。
【００４７】
次に、図１〜図５を参照して、本発明の実施形態に係るイオン発生部２の構成について説明する。図５は、イオン発生部２の構成の一例を示す正面図である。図５に示すように、イオン発生部２のイオン発生器２１は、電源回路ユニット２１１と、２つの電極２１２と、電極保護部材２１３とを更に備える。イオン発生器２１は、「放電器」の一例に相当する。
【００４８】
電源回路ユニット２１１は、２つの電極２１２の間に電圧を印加して、２つの電極２１２にプラスイオンとマイナスイオンとを発生させる。
【００４９】
２つの電極２１２の各々は、電源回路ユニット２１１に立設される。また、２つの電極２１２は、第１方向ＤＲ１に配列される。第１方向ＤＲ１は、Ｙ軸方向を示す。具体的には、２つの電極２１２のうちの一方の電極２１２ａは、電源回路ユニット２１１においてＹ軸の負方向側の端部に立設される。２つの電極２１２のうちの他方の電極２１２ｂは、電源回路ユニット２１１においてＹ軸の正方向側の端部に立設される。電極２１２ａは、例えばプラスイオンを発生する。電極２１２ｂは、例えばマイナスイオンを発生する。
【００５０】
リブ２２は、ダクト３においてリブ２２に対して一方側（Ｙ軸の負方向側）の空気が電極２１２ａに向かって流れ、且つダクト３においてリブ２２に対して他方側（Ｙ軸の正方向側）の空気が電極２１２ｂに向かって流れるように配置される。一方側の空気は、図２及び図３を参照して説明した「第１の空気流」に対応する。他方側の空気は、図２及び図３を参照して説明した「第２の空気流」に対応する。
【００５１】
電極保護部材２１３は、２つの電極２１２に対して方向Ｄの上流側と下流側とに配置される。電極保護部材２１３は、２つの電極２１２を保護する。具体的には、電極保護部材２１３は、空気清浄装置１００を製造する際に、又は、空気清浄装置１００を修理する際に、ユーザー（又は、他の部材）が電極２１２に接触しないように電極２１２を保護する。
【００５２】
以上、図１〜図５を参照して説明したように、本発明の実施形態では、イオン発生器２１の２つの電極２１２は、第１方向ＤＲ１に配列される。よって、プラスイオンを含む空気と、マイナスイオンを含む空気とが空気清浄装置１００の外部に送出される。したがって、空気に含まれるイオン量を更に増加できる。
【００５３】
また、リブ２２は、ダクト３においてリブ２２に対して一方側（Ｙ軸の負方向側）の空気が電極２１２ａに向かって流れ、且つダクト３においてリブ２２に対して他方側（Ｙ軸の正方向側）の空気が電極２１２ｂに向かって流れるように配置される。よって、プラスイオンとマイナスイオンとが衝突して中和されることを更に抑制できる。したがって、空気に含まれるイオン量を更に増加できる。
【００５４】
なお、本発明の実施形態では、イオン発生器２１が、プラスイオンとマイナスイオンとを発生するが、イオン発生器２１が、放電因子を発生すればよい。放電因子は、プラスイオン及びマイナスイオンの少なくとも一方を含む。すなわち、イオン発生器２１が、プラスイオン及びマイナスイオンの少なくとも一方を発生すればよい。
【００５５】
続いて、図１〜図６を参照して、本発明の実施形態に係るイオン発生部２の構成について更に説明する。図６は、イオン発生部２の構成の一例を示すＶＩ−ＶＩ断面図である。
【００５６】
図６に示すように、第１傾斜部材２３の面２３０は、第１面２３１から第２面２３２に向けて傾斜する。面２３０は、第１傾斜部材２３においてダクト３内に突出する側の面を示す。第１面２３１は、支持部材２１０に対して方向Ｄの上流側のダクト３の壁面を示す。ダクト３の壁面は、背面パネル１１０の一部に対応する。第２面２３２は、支持部材２１０においてダクト３内に突出する側の面を示す。
【００５７】
また、第１傾斜部材２３は、平板状に形成される。第１傾斜部材２３の一方端２３ａは、ダクト３の壁面に固定される。具体的には、第１傾斜部材２３の一方端２３ａは、背面パネル１１０に固定される。第１傾斜部材２３の他方端２３ｂは、支持部材２１０に固定される。具体的には、第１傾斜部材２３の他方端２３ｂは、支持部材２１０の第２面２３２に固定される。
【００５８】
第２傾斜部材２４の面２４０は、第３面２４１から第４面２４２に向けて傾斜する。面２４０は、第２傾斜部材２４においてダクト３内に突出する側の面を示す。第３面２４１は、支持部材２１０においてダクト３内に突出する側の面を示す。第４面２４２は、支持部材２１０に対して方向Ｄの下流側のダクト３の壁面を示す。ダクト３の壁面は、背面パネル１１０の一部に対応する。
【００５９】
また、第２傾斜部材２４は、平板状に形成される。第２傾斜部材２４の一方端２４ａは、支持部材２１０に固定される。具体的には、第２傾斜部材２４の一方端２４ａは、支持部材２１０の第３面２４１に固定される。第２傾斜部材２４の他方端２４ｂは、ダクト３の壁面に固定される。具体的には、第２傾斜部材２４の他方端２４ｂは、背面パネル１１０に固定される。
【００６０】
電極保護部材２１３の高さＨ３は、イオン発生器２１の電極２１２の高さＨ２よりも高い。電極保護部材２１３の高さＨ３は、背面パネル１１０から離間する方向の高さを示す。すなわち、高さＨ３は、電極保護部材２１３の背面パネル１１０から離間する方向の高さを示す。
【００６１】
以上、図１〜図６を参照して説明したように、本発明の実施形態では、第１傾斜部材２３の面２３０は、第１面２３１から第２面２３２に向けて傾斜している。面２３０は、第１傾斜部材２３においてダクト３内に突出する側の面を示す。第１面２３１は、支持部材２１０に対して方向Ｄの上流側のダクト３の壁面を示す。第２面２３２は、支持部材２１０においてダクト３内に突出する側の面を示す。よって、ダクト３の壁面から第１傾斜部材２３の面２３０に沿って、ダクト３内を空気が流れる。したがって、支持部材２１０がダクト３内の空気の流れを妨げることを更に抑制できる。その結果、空気に含まれるイオン量を更に増加できる。
【００６２】
また、第１傾斜部材２３は、平板状に形成されるため、簡素な構成で第１傾斜部材２３を形成できる。また、第１傾斜部材２３の一方端２３ａは、ダクト３の壁面に固定され、第１傾斜部材２３の他方端２３ｂは、支持部材２１０に固定される。よって、支持部材２１０がダクト３内の空気の流れを妨げることを更に抑制できる。したがって、空気に含まれるイオン量を更に増加できる。
【００６３】
また、第２傾斜部材２４の面２４０は、第３面２４１から第４面２４２に向けて傾斜している。第３面２４１は、支持部材２１０においてダクト３内に突出する側の面を示し、第４面２４２は、支持部材２１０においてダクト３内に突出する側の面を示す。よって、支持部材２１０の第４面２４２から、第２傾斜部材２４の面２４０に沿って、ダクト３内を空気が流れる。したがって、支持部材２１０がダクト３内の空気の流れを妨げることを更に抑制できる。その結果、空気に含まれるイオン量を更に増加できる。
【００６４】
また、第２傾斜部材２４は、平板状に形成されるため、簡素な構成で第２傾斜部材２４を形成できる。また、第２傾斜部材２４の一方端２４ａは、支持部材２１０に固定され、第２傾斜部材２４の他方端２４ｂは、ダクト３の壁面に固定されるため、支持部材２１０がダクト３内の空気の流れを妨げることを更に抑制できる。その結果、空気に含まれるイオン量を更に増加できる。
【００６５】
また、電極保護部材２１３の高さＨ３は、イオン発生器２１の電極２１２の高さＨ２よりも高い。したがって、２つの電極２１２を確実に保護できる。
【００６６】
以上、図面を参照しながら本発明の実施形態について説明した。但し、本発明は、上記の実施形態に限られるものではなく、その要旨を逸脱しない範囲で種々の態様において実施することが可能である（例えば、下記（１）〜（３））。また、上記の実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００６７】
（１）図１を参照して説明したように、本発明の実施形態では、イオン発生装置が空気清浄装置１００であるが、本発明はこれに限定されない。イオン発生装置は、イオン発生器２１が配置される装置であればよい。例えば、イオン発生装置が空気調和装置でもよい。
【００６８】
（２）図１を参照して説明したように、本発明の実施形態では、イオン発生部２が空気清浄装置１００の背面パネル１１０に固定されるが、本発明はこれに限定されない。イオン発生部２が空気清浄装置１００に配置されればよい。例えば、イオン発生部２が仕切り壁１２０に固定されてもよい。
【００６９】
（３）図１〜図３を参照して説明したように、本発明の実施形態では、空気清浄装置１００が第１傾斜部材２３と第２傾斜部材２４とを備えるが、本発明はこれに限定されない。空気清浄装置１００が第１傾斜部材２３及び第２傾斜部材２４の少なくとも一方を備えればよい。
【産業上の利用可能性】
【００７０】
本発明は、空気に含まれるイオン量を増加可能なイオン発生装置を提供するものであり、産業上の利用可能性を有する。
【符号の説明】
【００７１】
１００    空気清浄装置（イオン発生装置）
１００Ａ    第１ユニット
１１０    背面パネル
１２３    流路形成部材
１３０    ファン
１３２    モータ
２    イオン発生部
２１    イオン発生器（放電器）
２１１    電源回路ユニット
２１２、２１２ａ、２１２ｂ    電極
２１０    支持部材
２２    リブ（板状部材）
２３    第１傾斜部材
２３０    面
２３１    第１面
２３２    第２面
２４    第２傾斜部材
２４０    面
２４１    第３面
２４２    第４面
２５    第１壁部材
２６    第２壁部材
２９    排出口
３    ダクト（送風路）
１００Ｂ    第２ユニット
１４０    前面パネル
１５１    フィルタ
１２０    仕切り壁
１１２    脚部
Ｄ、Ｄ１、Ｄ２    方向
ＤＲ１    第１方向
Ｗ１、Ｗ２、Ｗ３    幅
Ｈ１、Ｈ２、Ｈ３    高さ
【図１】
2020032030.tif 000003
【図２】
2020032030.tif 000004
【図３】
2020032030.tif 000005
【図４】
2020032030.tif 000006
【図５】
2020032030.tif 000007
【図６】
2020032030.tif 000008
【国際調査報告】
2020032030.tif 000009
2020032030.tif 000010
2020032030.tif 000011
2020032030.tif 000012